(57)【特許請求の範囲】
【請求項１】
撮影方法であって、
スローシャッタ撮影モードに入る命令を取得した後で、前記スローシャッタ撮影モードに入る段階と、
撮影対象の画像フレームを連続的に取得する段階と、
第１の予め設定された明度値に従って、前記撮影対象の各画像フレームを、光軌跡領域、背景光源領域、及び無光源領域に分割する段階と、
前記撮影対象の前記画像フレームの前記光軌跡領域を合成し、合成された光軌跡領域をターゲット画像の光軌跡領域として用いる段階と、
前記撮影対象の前記画像フレームのうち１つ又は複数の前記背景光源領域を前記ターゲット画像の背景光源領域として用い、前記ターゲット画像の前記背景光源領域の露出過多を回避する段階と、
前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する段階と、
撮影命令を取得した後で、前記ターゲット画像を格納する段階と、
を備え、
前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する前記段階は、
前記撮影対象の前記画像フレームにおいて時系列で取得された最初のＮ個の画像フレームの前記無光源領域を合成し、前記合成された無光源領域の明度値Ｃ、及び時系列で取得されたＮ＋１番目のフレームの前記無光源領域の明度値を加算して明度値Ｄを取得し、前記明度値Ｄが前記第１の予め設定された明度値より大きい又はこれに等しい場合に、前記最初のＮ個の画像フレームの前記合成された無光源領域を前記ターゲット画像の前記無光源領域として用いる段階であって、Ｎは、正の整数である、段階
を含む、
方法。
【請求項２】
撮影対象の画像フレームを連続的に取得する前記段階の後であって、第１の予め設定された明度値に従って、前記撮影対象の各画像フレームを、光軌跡領域、背景光源領域、及び無光源領域に分割する前記段階の前に、
前記撮影対象の前記画像フレームの明度を取得する段階と、
前記スローシャッタ撮影モードに設定される必要があるパラメータの値が直接取得されない場合に、前記取得された明度に従って、前記撮影対象の画像における、その明度が第２の予め設定された明度値より大きい又はこれに等しい画素の数を取得する段階と、
その明度が前記第２の予め設定された明度値より大きい又はこれに等しい前記画素の前記数、及び前記撮影対象の画像における総画素数に従って、その明度が前記第２の予め設定された明度値より大きい又はこれに等しい前記画素のパーセンテージ値を算出する段階と、
前記パーセンテージ値が予め設定されたパーセンテージ閾値の上限より大きい又はこれに等しい場合に、前記スローシャッタ撮影モードに設定される必要がある前記パラメータの前記値を調整し、前記パーセンテージ値を低下させることにより、前記画像における前記低下したパーセンテージ値を前記予め設定されたパーセンテージ閾値の範囲内にする段階と、
をさらに備える、
請求項１に記載の方法。
【請求項３】
撮影対象の画像フレームを連続的に取得する前記段階の後であって、第１の予め設定された明度値に従って、前記撮影対象の各画像フレームを、光軌跡領域、背景光源領域、及び無光源領域に分割する前記段階の前に、
前記撮影対象の前記画像フレームの明度を取得する段階と、
前記スローシャッタ撮影モードに設定される必要があるパラメータの値が直接取得される場合に、前記パラメータの前記直接取得された値に従って、前記スローシャッタ撮影モードに設定される必要がある前記パラメータを調整する段階であって、前記スローシャッタ撮影モードに設定される必要がある前記パラメータの前記値は、前記画像フレームの前記明度に従って、ユーザによって設定される、段階と、
をさらに備える、
請求項１に記載の方法。
【請求項４】
前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する前記段階の後であって、撮影命令を取得した後で、前記ターゲット画像を格納する前記段階の前に、
前記光軌跡領域、前記背景光源領域、及び前記無光源領域の境界に対して明度スムージング処理を実行する段階
をさらに備える、
請求項１から３のいずれか１項に記載の方法。
【請求項５】
第１の予め設定された明度値に従って、前記撮影対象の各画像フレームを、光軌跡領域、背景光源領域、及び無光源領域に分割する前記段階は、
前記撮影対象の前記画像フレームの同じ画素位置における前記画像フレームの差異度及び前記第１の予め設定された明度値に従って、前記撮影対象の各画像フレームを、前記光軌跡領域、前記背景光源領域、及び前記無光源領域に分割する段階
を含む、
請求項１から４のいずれか１項に記載の方法。
【請求項６】
撮影方法であって、
スローシャッタ撮影モードに入る命令を取得した後で、前記スローシャッタ撮影モードに入る段階と、
撮影対象の画像フレームを連続的に取得する段階と、
第１の予め設定された明度値に従って、前記撮影対象の各画像フレームを光軌跡領域及び無光源領域に分割する段階と、
前記撮影対象の前記画像フレームの前記光軌跡領域を合成し、合成された光軌跡領域をターゲット画像の光軌跡領域として用いる段階と、
前記撮影対象の前記画像フレームのうち１つ又は複数の前記無光源領域を合成し、前記合成された無光源領域を前記ターゲット画像の無光源領域として用い、前記ターゲット画像の前記合成された無光源領域の明度を高め、露出過多を回避する段階と、
撮影命令を取得した後で、前記ターゲット画像を格納する段階と、
を備え、
前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する前記段階は、
前記撮影対象の前記画像フレームにおいて時系列で取得された最初のＮ個の画像フレームの前記無光源領域を合成し、前記合成された無光源領域の明度値Ｃ、及び時系列で取得されたＮ＋１番目のフレームの前記無光源領域の明度値を加算して明度値Ｄを取得し、前記明度値Ｄが前記第１の予め設定された明度値より大きい又はこれに等しい場合に、前記最初のＮ個の画像フレームの前記合成された無光源領域を前記ターゲット画像の前記無光源領域として用いる段階であって、Ｎは、正の整数である、段階
を含む、
方法。
【請求項７】
撮影対象の画像フレームを連続的に取得する前記段階の後であって、第１の予め設定された明度値に従って、前記撮影対象の各画像フレームを光軌跡領域及び無光源領域に分割する前記段階の前に、
前記撮影対象の前記画像フレームの明度を取得する段階と、
前記スローシャッタ撮影モードに設定される必要があるパラメータの値が直接取得されない場合に、前記取得された明度に従って、前記撮影対象の画像における、その明度が第２の予め設定された明度値より大きい又はこれに等しい画素の数を取得する段階と、
その明度が前記第２の予め設定された明度値より大きい又はこれに等しい前記画素の前記数、及び前記撮影対象の画像における総画素数に従って、その明度が前記第２の予め設定された明度値より大きい又はこれに等しい前記画素のパーセンテージ値を算出する段階と、
前記パーセンテージ値が予め設定されたパーセンテージ閾値の上限より大きい又はこれに等しい場合に、前記スローシャッタ撮影モードに設定される必要がある前記パラメータの前記値を調整し、前記パーセンテージ値を低下させることにより、前記画像における前記低下したパーセンテージ値を前記予め設定されたパーセンテージ閾値の範囲内にする段階と、
をさらに備える、
請求項６に記載の方法。
【請求項８】
撮影対象の画像フレームを連続的に取得する前記段階の後であって、第１の予め設定された明度値に従って、前記撮影対象の各画像フレームを光軌跡領域及び無光源領域に分割する前記段階の前に、
前記撮影対象の前記画像フレームの明度を取得する段階と、
前記スローシャッタ撮影モードに設定される必要があるパラメータの値が直接取得される場合に、前記パラメータの前記直接取得された値に従って、前記スローシャッタ撮影モードに設定される必要がある前記パラメータを調整する段階であって、前記スローシャッタ撮影モードに設定される必要がある前記パラメータの前記値は、前記画像フレームの前記明度に従って、ユーザによって設定される、段階と、
をさらに備える、
請求項６に記載の方法。
【請求項９】
撮影装置であって、
スローシャッタ撮影モードに入る命令を取得する第１の取得モジュールであって、さらに、前記スローシャッタ撮影モードに入る前記命令に従って、前記撮影装置が前記スローシャッタ撮影モードに入った後で、撮影対象の画像フレームを連続的に取得する第１の取得モジュールと、
第１の予め設定された明度値に従って、前記撮影対象の各画像フレームを、光軌跡領域、背景光源領域、及び無光源領域に分割する第１の処理モジュールであって、さらに、前記撮影対象の前記画像フレームの前記光軌跡領域を合成し、合成された光軌跡領域をターゲット画像の光軌跡領域として用い、さらに、前記撮影対象の前記画像フレームのうち１つ又は複数の前記背景光源領域を、前記ターゲット画像の背景光源領域として用い、前記ターゲット画像の前記背景光源領域の露出過多を回避し、さらに、前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する、第１の処理モジュールと、
撮影命令を取得した後で、前記ターゲット画像を格納する第１の撮影モジュールと、
を備え、
前記撮影対象の前記画像フレームのうち１つ又は複数の前記無光源領域を合成し、前記合成された無光源領域を前記ターゲット画像の前記無光源領域として用い、前記ターゲット画像の前記合成された無光源領域の前記明度を高め、露出過多を回避する場合に、前記第１の処理モジュールは、
前記撮影対象の前記画像フレームにおいて時系列で取得された最初のＮ個の画像フレームの前記無光源領域を合成し、前記合成された無光源領域の明度値Ｃ、及び時系列で取得されたＮ＋１番目のフレームの前記無光源領域の明度値を加算して明度値Ｄを取得し、前記明度値Ｄが前記第１の予め設定された明度値より大きい又はこれに等しい場合に、前記最初のＮ個の画像フレームの前記合成された無光源領域を前記ターゲット画像の前記無光源領域として用い、
Ｎは、正の整数である、
撮影装置。
【請求項１０】
前記第１の処理モジュールは、さらに、
前記スローシャッタ撮影モードに設定される必要があるパラメータの値が直接取得されない場合に、前記撮影対象の前記画像フレームの明度が取得された後で、前記明度に従って、前記撮影対象の画像における、その明度が第２の予め設定された明度値より大きい又はこれに等しい画素の数を取得し、
その明度が前記第２の予め設定された明度値より大きい又はこれに等しい前記画素の前記数、及び前記撮影対象の画像における総画素数に従って、その明度が前記第２の予め設定された明度値より大きい又はこれに等しい前記画素のパーセンテージ値を算出し、
前記パーセンテージ値が予め設定されたパーセンテージ閾値の上限より大きい又はこれに等しい場合に、前記スローシャッタ撮影モードに設定される必要がある前記パラメータの前記値を調整し、前記パーセンテージ値を低下させることにより、前記画像における前記低下したパーセンテージ値を前記予め設定されたパーセンテージ閾値の範囲内にする、
請求項９に記載の撮影装置。
【請求項１１】
撮影装置であって、
スローシャッタ撮影モードに入る命令を取得する第３の取得モジュールと、
撮影対象の画像フレームの明度に従って、前記スローシャッタ撮影モードに設定される必要があるパラメータの値を調整し、撮影後のターゲット画像の露出過多を回避する第３の処理モジュールであって、さらに、第１の予め設定された明度値に従って、前記撮影対象の各画像フレームを光軌跡領域及び無光源領域に分割し、さらに、前記撮影対象の前記画像フレームの前記光軌跡領域を合成し、合成された光軌跡領域を前記ターゲット画像の光軌跡領域として用い、さらに、前記撮影対象の前記画像フレームのうち１つ又は複数の前記無光源領域を合成し、合成された無光源領域を前記ターゲット画像の無光源領域として用い、前記ターゲット画像の前記合成された無光源領域の明度を高め、露出過多を回避する、第３の処理モジュールと、
撮影命令を取得した後で、前記ターゲット画像を格納する第３の撮影モジュールと、を備え、
前記撮影対象の前記画像フレームのうち１つ又は複数の前記無光源領域を合成し、前記合成された無光源領域を前記ターゲット画像の前記無光源領域として用い、前記ターゲット画像の前記合成された無光源領域の前記明度を高め、露出過多を回避する場合に、前記第３の処理モジュールは、
前記撮影対象の前記画像フレームにおいて時系列で取得された最初のＮ個の画像フレームの前記無光源領域を合成し、前記合成された無光源領域の明度値Ｃ、及び時系列で取得されたＮ＋１番目のフレームの前記無光源領域の明度値を加算して明度値Ｄを取得し、前記明度値Ｄが前記第１の予め設定された明度値より大きい又はこれに等しい場合に、前記最初のＮ個の画像フレームの前記合成された無光源領域を前記ターゲット画像の前記無光源領域として用い、
Ｎは、正の整数である、
撮影装置。
【請求項１２】
前記第３の処理モジュールは、さらに、
前記スローシャッタ撮影モードに設定される必要がある前記パラメータの前記値が直接取得されない場合に、前記撮影対象の前記画像フレームの前記明度が取得された後で、前記明度に従って、前記撮影対象の画像における、その明度が第２の予め設定された明度値より大きい又はこれに等しい画素の数を取得し、
その明度が前記第２の予め設定された明度値より大きい又はこれに等しい前記画素の前記数、及び前記撮影対象の画像における総画素数に従って、その明度が前記第２の予め設定された明度値より大きい又はこれに等しい前記画素のパーセンテージ値を算出し、
前記パーセンテージ値が予め設定されたパーセンテージ閾値の上限より大きい又はこれに等しい場合に、前記スローシャッタ撮影モードに設定される必要がある前記パラメータの前記値を調整し、前記パーセンテージ値を低下させることにより、前記画像における前記低下したパーセンテージ値を前記予め設定されたパーセンテージ閾値の範囲内にする
ようにさらに構成される、
請求項１１に記載の撮影装置。
【発明の詳細な説明】
【技術分野】
【０００１】
本願は、電子通信技術分野に関し、具体的には、撮影装置及び方法に関する。
【背景技術】
【０００２】
画像処理技術及びモバイル端末デバイスの進歩に伴い、モバイル装置は、いつでもどこでも撮影装置として用いられており、これは、日常生活において一般的に利用される重要な機能となっている。人は、手軽に素晴らしい瞬間を記録し、感情を表現するために、撮影装置を用いることによって写真を撮影する。現在、撮影装置（例えば、デスクトップコンピュータ、携帯電話、タブレットコンピュータ、及びカメラ）の大半が、撮影機能を提供する。
【０００３】
ユーザは、撮影される写真が、ユーザのための光源の移動軌跡を効果的に反映し得ること、例えば、手持ち型光源が動かされた後で形成される光軌跡パターン、消えやすい花火大会の閃光、又は壮大な滝によってもたらされる絹のような水のエフェクトを撮影することを望んでいる。現在、光源の移動軌跡の撮影品質は、主に、三脚に載置された一眼レフカメラのスローシャッタを用いることによって向上している。しかしながら、一眼レフカメラは、高価で、持ち運びが容易ではなく、一眼レフカメラのスクリーンは、撮影中に暗くなる。この場合、ユーザは、適切な露出及び良好なシャープネスを有する写真を得るために、豊富な撮影経験を有する必要があり、撮影シナリオに従って、撮影パラメータを手動で調整する必要がある。従って、現在の撮影技術に基づいて、ユーザは、光源の移動軌跡の高品質な写真を効果的に撮影することは不可能であり、撮影プロセス中のユーザエクスペリエンスを向上させる必要がある。
【発明の概要】
【０００４】
本願の実施形態は、光源が動かされた後で形成される軌跡に対して、様々な撮影装置を用いることによって、露出過多ではないシャープな画像が簡単かつ手軽に撮影されることが不可能であるという従来技術における問題を解決すべく、撮影方法及び装置を提供する。この解決手段によって、光源が動かされた後で形成される軌跡に対して、様々な撮影装置を用いることによって、シャープな画像が簡単かつ手軽に撮影可能となる。
【０００５】
第１の態様は、撮影方法を提供する。撮影方法は、
スローシャッタ撮影モードに入る命令を取得した後で、スローシャッタ撮影モードに入る段階と、
撮影対象の画像フレームを連続的に取得する段階と、
第１の予め設定された明度値に従って、撮影対象の各画像フレームを、光軌跡領域、背景光源領域、及び無光源領域に分割する段階と、
撮影対象の画像フレームの光軌跡領域を合成し、合成された光軌跡領域をターゲット画像の光軌跡領域として用いる段階と、
撮影対象の画像フレームのうち１つ又は複数の背景光源領域をターゲット画像の背景光源領域として用い、ターゲット画像の背景光源領域の露出過多を回避する段階と、
撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階と、
撮影命令を取得した後で、ターゲット画像を格納する段階と、
を含む。
【０００６】
第１の態様の第１の可能な実装において、撮影対象の画像フレームを連続的に取得する段階の後であって、第１の予め設定された明度値に従って、撮影対象の各画像フレームを光軌跡領域、背景光源領域、及び無光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階と、
をさらに含む。
【０００７】
第１の態様に関連して、第２の可能な実装において、撮影対象の画像フレームを連続的に取得する段階の後であって、第１の予め設定された明度値に従って、撮影対象の各画像フレームを、光軌跡領域、背景光源領域、及び無光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【０００８】
第１の態様から第１の態様の第２の可能な実装のいずれか１つに関連して、第３の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階の後であって、撮影命令を取得した後で、ターゲット画像を格納する段階の前に、方法は、
光軌跡領域、背景光源領域、及び無光源領域の境界に対して明度スムージング処理を実行する段階
をさらに含む。
【０００９】
第１の態様から第１の態様の第３の可能な実装のいずれか１つに関連して、第４の可能な実装において、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする段階
を含む。
【００１０】
第１の態様から第１の態様の第４の可能な実装のいずれか１つに関連して、第５の可能な実装において、第１の予め設定された明度値に従って、撮影対象の各画像フレームを、光軌跡領域、背景光源領域、及び無光源領域に分割する段階は、
第１の予め設定された明度値に従って、撮影対象の各画像フレームを光軌跡領域、背景光源領域、及び無光源領域に分割する段階であって、光軌跡領域は、同じ画素位置における画像フレームの間に差が存在し、かつ、明度値が第１の予め設定された明度値より大きい又はこれに等しい領域であり、背景光源領域は、同じ画素位置における画像フレームの間に差が存在せず、かつ、明度値が第１の予め設定された明度値より大きい又はこれに等しい領域であり、無光源領域は、同じ画素位置における画像フレームの間に差が存在せず、かつ、明度値が第１の予め設定された明度値より小さい領域
を含む。
【００１１】
第１の態様から第１の態様の第５の可能な実装のいずれか１つに関連して、第６の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階は、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる段階
を含む。
【００１２】
第２の態様は、撮影方法を提供する。方法は、
スローシャッタ撮影モードに入る命令を取得した後で、スローシャッタ撮影モードに入る段階と、
撮影対象の画像フレームを連続的に取得する段階と、
第１の予め設定された明度値に従って、撮影対象の各画像フレームを光軌跡領域及び無光源領域に分割する段階と、
撮影対象の画像フレームの光軌跡領域を合成し、合成された光軌跡領域をターゲット画像の光軌跡領域として用いる段階と、
撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階と、
撮影命令を取得した後で、ターゲット画像を格納する段階と、
を含む。
【００１３】
第２の態様の第１の可能な実装において、撮影対象の画像フレームを連続的に取得する段階の後であって、第１の予め設定された明度値に従って、撮影対象の各画像フレームを、光軌跡領域及び無光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階と、
をさらに含む。
【００１４】
第２の態様に関連して、第２の可能な実装において、撮影対象の画像フレームを連続的に取得する段階の後であって、第１の予め設定された明度値に従って、撮影対象の各画像フレームを光軌跡領域及び無光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【００１５】
第２の態様から第２の態様の第２の可能な実装のいずれか１つに関連して、第３の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階の後であって、撮影命令を取得した後で、ターゲット画像を格納する段階の前に、方法は、
光軌跡領域及び無光源領域の境界に対して明度スムージング処理を実行する段階
をさらに含む。
【００１６】
第２の態様から第２の態様の第３の可能な実装のいずれか１つに関連して、第４の可能な実装において、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする段階
を含む。
【００１７】
第２の態様から第２の態様の第４の可能な実装のいずれか１つに関連して、第５の可能な実装において、第１の予め設定された明度値に従って、撮影対象の各画像フレームを光軌跡領域及び無光源領域に分割する段階は、
第１の予め設定された明度値に従って、撮影対象の各画像フレームを光軌跡領域及び無光源領域に分割する段階であって、光軌跡領域は、同じ画素位置における画像フレームの間に差が存在し、かつ、明度値が第１の予め設定された明度値より大きい又はこれに等しい領域であり、無光源領域は、同じ画素位置における画像フレームの間に差が存在せず、かつ、明度値が第１の予め設定された明度値より小さい領域である、段階
を含む。
【００１８】
第２の態様から第２の態様の第５の可能な実装のいずれか１つに関連して、第６の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階は、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる段階
を含む。
【００１９】
第３の態様は、撮影方法を提供する。方法は、
スローシャッタ撮影モードに入る命令を取得した後で、スローシャッタ撮影モードに入る段階と、
撮影対象の画像フレームを連続的に取得する段階と、
第１の予め設定された明度値に従って、撮影対象の各画像フレームを光軌跡領域及び背景光源領域に分割する段階と、
撮影対象の画像フレームの光軌跡領域を合成し、合成された光軌跡領域をターゲット画像の光軌跡領域として用いる段階と、
撮影対象の画像フレームのうち１つ又は複数の背景光源領域をターゲット画像の背景光源領域として用い、ターゲット画像の背景光源領域の露出過多を回避する段階と、
撮影命令を取得した後で、ターゲット画像を格納する段階と、
を含む。
【００２０】
第３の態様の第１の可能な実装において、撮影対象の画像フレームを連続的に取得する段階の後であって、第１の予め設定された明度値に従って、撮影対象の各画像フレームを、光軌跡領域及び背景光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階と、
をさらに含む。
【００２１】
第３の態様に関連して、第２の可能な実装において、撮影対象の画像フレームを連続的に取得する段階の後であって、第１の予め設定された明度値に従って、撮影対象の各画像フレームを、光軌跡領域、背景光源領域、及び無光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【００２２】
第３の態様から第３の態様の第２の可能な実装のいずれか１つに関連して、第３の可能な実装において、撮影対象の画像フレームのうち１つ又は複数の背景光源領域をターゲット画像の背景光源領域として用い、ターゲット画像の背景光源領域の露出過多を回避する段階の後であって、撮影命令を取得した後で、ターゲット画像を格納する段階の前に、方法は、
光軌跡領域及び背景光源領域の境界に対して明度スムージング処理を実行する段階
をさらに含む。
【００２３】
第３の態様から第３の態様の第３の可能な実装のいずれか１つに関連して、第４の可能な実装において、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする段階
を含む。第３の態様から第３の態様の第４の可能な実装のいずれか１つに関連して、第５の可能な実装において、第１の予め設定された明度値に従って、撮影対象の各画像フレームを光軌跡領域及び背景光源領域に分割する段階は、
第１の予め設定された明度値に従って、撮影対象の各画像フレームを光軌跡領域及び背景光源領域に分割する段階であって、光軌跡領域は、同じ画素位置における画像フレームの間に差が存在し、かつ、明度値が第１の予め設定された明度値より大きい又はこれに等しい領域であり、背景光源領域は、同じ画素位置における画像フレームの間に差が存在せず、かつ、明度値が第１の予め設定された明度値より大きい又はこれに等しい領域である、段階
を含む。
【００２４】
第４の態様は、撮影装置を提供する。撮影装置は、
スローシャッタ撮影モードに入る命令を取得するように構成される第１の取得モジュールであって、スローシャッタ撮影モードに入る命令に従って、撮影装置がスローシャッタ撮影モードに入った後で、撮影対象の画像フレームを連続的に取得するようにさらに構成される第１の取得モジュールと、
第１の予め設定された明度値に従って、撮影対象の各画像フレームを、光軌跡領域、背景光源領域、及び無光源領域に分割するように構成される第１の処理モジュールであって、撮影対象の画像フレームの光軌跡領域を合成し、合成された光軌跡領域をターゲット画像の光軌跡領域として用いるようにさらに構成され、撮影対象の画像フレームのうち１つ又は複数の背景光源領域を、ターゲット画像の背景光源領域として用い、ターゲット画像の背景光源領域の露出過多を回避するようにさらに構成され、撮影対象の画像フレームのうち１つ又は複数の無光源領域を合成し、合成された無光源領域をターゲット画像の無光源領域として用い、ターゲット画像の合成された無光源領域の明度を高め、露出過多を回避するようにさらに構成される、第１の処理モジュールと、
撮影命令を取得した後で、ターゲット画像を格納するように構成される第１の撮影モジュールと、
を含む。
【００２５】
第４の態様の第１の可能な実装において、第１の処理モジュールは、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする
ようにさらに構成される。
【００２６】
第４の態様に関連して、第２の可能な実装において、第１の処理モジュールは、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【００２７】
第４の態様から第４の態様の第２の可能な実装のいずれか１つに関連して、第３の可能な実装において、第１の処理モジュールは、
光軌跡領域、背景光源領域、及び無光源領域の境界に対して明度スムージング処理を実行する
ようにさらに構成される。
【００２８】
第４の態様から第４の態様の第３の可能な実装のいずれか１つに関連して、第４の可能な実装において、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする場合、第１の処理モジュールは、具体的には、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする
ように構成される。
【００２９】
第４の態様から第４の態様の第４の可能な実装のいずれか１つに関連して、第５の可能な実装において、第１の予め設定された明度値に従って、撮影対象の各画像フレームを光軌跡領域、背景光源領域、及び無光源領域に分割する場合に、第１の処理モジュールは、具体的には、
第１の予め設定された明度値に従って、撮影対象の各画像フレームを、光軌跡領域、背景光源領域、及び無光源領域に分割する
ように構成され、
光軌跡領域は、同じ画素位置における画像フレームの間に差が存在し、かつ、明度値が第１の予め設定された明度値より大きい又はこれに等しい領域であり、背景光源領域は、同じ画素位置における画像フレームの間に差が存在せず、かつ、明度値が第１の予め設定された明度値より大きい又はこれに等しい領域であり、無光源領域は、同じ画素位置における画像フレームの間に差が存在せず、かつ、明度値が第１の予め設定された明度値より小さい領域である。
【００３０】
第４の態様から第４の態様の第５の可能な実装のいずれか１つに関連して、第６の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する場合に、第１の処理モジュールは、具体的には、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる
ように構成され、
Ｎは、正の整数である。
【００３１】
第５の態様は、撮影装置を提供する。撮影装置は、
スローシャッタ撮影モードに入る命令を取得するように構成される第２の取得モジュールであって、スローシャッタ撮影モードに入る命令に従って、撮影装置がスローシャッタ撮影モードに入った後で、撮影対象の画像フレームを連続的に取得するようにさらに構成される、第２の取得モジュールと、
第１の予め設定された明度値に従って、撮影対象の各画像フレームを光軌跡領域及び背景光源領域に分割するように構成される第２の処理モジュールであって、撮影対象の画像フレームの光軌跡領域を合成し、合成された光軌跡領域をターゲット画像の光軌跡領域として用いるようにさらに構成され、撮影対象の画像フレームのうち１つ又は複数の背景光源領域を、ターゲット画像の背景光源領域として用い、ターゲット画像の背景光源領域の露出過多を回避ようにさらに構成される、第２の処理モジュールと、
を含み、
撮影命令を取得した後で、ターゲット画像を格納する。
【００３２】
第５の態様の第１の可能な実装において、第２の処理モジュールは、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする
ようにさらに構成される。
【００３３】
第５の態様に関連して、第２の可能な実装において、第２の処理モジュールは、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【００３４】
第５の態様から第５の態様の第２の可能な実装のいずれか１つに関連して、第３の可能な実装において、第２の処理モジュールは、
光軌跡領域及び背景光源領域の境界に対して明度スムージング処理を実行する
ようにさらに構成される。
【００３５】
第５の態様から第５の態様の第３の可能な実装のいずれか１つに関連して、第４の可能な実装において、
第１の予め設定された明度値に従って、撮影対象の各画像フレームを光軌跡領域及び背景光源領域に分割する場合に、第２の処理モジュールは、具体的には、
第１の予め設定された明度値に従って、撮影対象の各画像フレームを光軌跡領域及び背景光源領域に分割するように構成され、光軌跡領域は、同じ画素位置における画像フレームの間に差が存在し、かつ、明度値が第１の予め設定された明度値より大きい又はこれに等しい領域であり、背景光源領域は、同じ画素位置における画像フレームの間に差が存在せず、かつ、明度値が第１の予め設定された明度値より大きい又はこれに等しい領域である。
【００３６】
第６の態様は、撮影装置を提供する。撮影装置は、
スローシャッタ撮影モードに入る命令を取得するように構成される第３の取得モジュールと、
撮影対象の画像フレームの明度に従って、スローシャッタ撮影モードに設定される必要があるパラメータの値を調整し、撮影後のターゲット画像の露出過多を回避するように構成される第３の処理モジュールであって、第１の予め設定された明度値に従って、撮影対象の各画像フレームを光軌跡領域及び無光源領域に分割するように構成され、撮影対象の画像フレームの光軌跡領域を合成し、合成された光軌跡領域をターゲット画像の光軌跡領域として用いるようにさらに構成され、撮影対象の画像フレームのうち１つ又は複数の無光源領域を合成し、合成された無光源領域をターゲット画像の無光源領域として用い、ターゲット画像の合成された無光源領域の明度を高め、露出過多を回避するようにさらに構成される、第３の処理モジュールと、
を含み、
撮影命令を取得した後で、ターゲット画像を格納する。
【００３７】
第６の態様の第１の可能な実装において、第３の処理モジュールは、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする
ようにさらに構成される。
【００３８】
第６の態様に関連して、第２の可能な実装において、第３の処理モジュールは、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【００３９】
第６の態様から第６の態様の第２の可能な実装のいずれか１つに関連して、第３の可能な実装において、第３の処理モジュールは、
光軌跡領域及び無光源領域の境界に対して明度スムージング処理を実行する
ようにさらに構成される。
【００４０】
第６の態様から第６の態様の第３の可能な実装のいずれか１つに関連して、第４の可能な実装において、第１の予め設定された明度値に従って、撮影対象の各画像フレームを光軌跡領域及び無光源領域に分割する場合に、第３の処理モジュールは、具体的には、
第１の予め設定された明度値に従って、撮影対象の各画像フレームを、光軌跡領域及び無光源領域に分割する
ように構成され、
光軌跡領域は、同じ画素位置における画像フレームの間に差が存在し、かつ、明度値が第１の予め設定された明度値より大きい又はこれに等しい領域であり、無光源領域は、同じ画素位置における画像フレームの間に差が存在せず、かつ、明度値が第１の予め設定された明度値より小さい領域である。
【００４１】
第６の態様から第６の態様の第４の可能な実装のいずれか１つに関連して、第５の可能な実装において、撮影対象の画像フレームのうち１つ又は複数の無光源領域を合成し、合成された無光源領域をターゲット画像の無光源領域として用い、ターゲット画像の合成された無光源領域の明度を高め、露出過多を回避する場合に、第３の処理モジュールは、具体的には、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる
ように構成され、
Ｎは、正の整数である。
【００４２】
有益な効果は、撮影対象の各画像フレームが、第１の予め設定された明度値に従って、光軌跡領域、背景光源領域、及び無光源領域に分割される、又は光軌跡領域及び背景光源領域に分割される、又は光軌跡領域及び無光源領域に分割され、分割された領域に基づいて、異なる明度値の処理が異なる領域に対して実行されることにより、撮影経験に乏しいユーザが、撮影を通して、光源の移動軌跡の高品質画像を得ることができ、得られた画像は、光源の移動軌跡を反映することができ、画像は、シャープネスが高く、露出過多とならないことである。例えば、方法又は装置を用いることによって、手持ち型光源が動かされた後で形成される光軌跡パターンのエフェクト、消えやすい花火大会の閃光、及び壮大な滝によってもたらされる絹のような水のエフェクトを含む画像が、簡単かつ手軽に取得可能となる。
【図面の簡単な説明】
【００４３】
本願の実施形態における技術的解決手段をより明確に説明すべく、以下、実施形態を説明するために必要とされる添付図面を簡潔に説明する。以下の説明における添付図面は、本願のいくつかの実施形態を示すものであり、当業者であれば、創造的努力なく、これらの添付図面から他の図面をさらに導出し得ることは明らかである。
【００４４】
【図１】本願の実施形態に係る撮影方法の実施形態１のフローチャートである。
【００４５】
【図２】本願の実施形態に係る撮影方法の実施形態２のフローチャートである。
【００４６】
【図３】本願の実施形態に係る撮影方法の実施形態３のフローチャートである。
【００４７】
【図４】本願の実施形態に係る撮影装置の実施形態１に係る模式的構造図である。
【００４８】
【図５】本願の実施形態に係る撮影装置の実施形態２の模式的構造図である。
【００４９】
【図６】本願の実施形態に係る撮影装置の実施形態３の模式的構造図である。
【００５０】
【図７】本願の実施形態に係る撮影装置の実施形態４の模式的構造図である。
【発明を実施するための形態】
【００５１】
本願の実施形態の目的、技術的解決手段、及び利点をより明確にすべく、以下、本願の実施形態における添付図面に関連して、本願の実施形態における技術的解決手段を明確に説明する。説明される実施形態は、本願の実施形態の一部であって全てではないことは明らかである。当業者によって、本願の実施形態に基づいて創造的努力なく得られた全ての他の実施形態は、本願の保護範囲に属するものとする。
【００５２】
図１に示されるように、本願の実施形態に係る撮影方法の実施形態１は、以下の段階を含む。
【００５３】
段階Ｓ１０１：スローシャッタ撮影モードに入る命令を取得した後で、スローシャッタ撮影モードに入る。具体的には、撮影装置のプロセッサは、入力デバイスを用いることによって、ユーザによって入力又は選択された、スローシャッタ撮影モードに入る命令を取得する。
【００５４】
段階Ｓ１０２：撮影対象の画像フレームを連続的に取得する。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【００５５】
段階Ｓ１０３：撮影後のターゲット画像の露出過多を回避するために、撮影対象の画像フレームの明度を取得し、スローシャッタ撮影モードに設定される必要があるパラメータの値を調整する。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【００５６】
段階Ｓ１０４：第１の予め設定された明度値に従って、撮影対象の各画像フレームを、光軌跡領域、背景光源領域、及び無光源領域に分割する。光軌跡領域は、撮影対象の移動する対象によって移動中に形成される領域であり、滝、流星、又は花火によって形成される軌跡を含む。背景光源領域は、撮影対象の光軌跡領域以外の他の光源領域、例えば、街灯又は星である。無光源領域は、光源のない領域である。第１の予め設定された明度値の値は、約２１０である。
【００５７】
段階Ｓ１０５：撮影対象の画像フレームの光軌跡領域を合成し、合成された光軌跡領域を、ターゲット画像の光軌跡領域として用いる。具体的には、画像フレームの光軌跡領域における同じ位置の画素の明度が加算され、加算された明度は、合成された光軌跡領域の明度として用いられる。代わりに、いくつかの画像フレームの光軌跡領域における同じ位置の画素の明度が加算され、加算された明度は、合成された光軌跡領域の明度として用いられる。
【００５８】
段階Ｓ１０６：撮影対象の画像フレームのうち１つ又は複数の背景光源領域をターゲット画像の背景光源領域として用い、ターゲット画像の背景光源領域の露出過多を回避する。具体的には、撮影対象の画像フレームのいずれか１つの背景光源領域が、撮影後のターゲット画像の背景光源領域として用いられ、撮影後のターゲット画像の背景光源領域の露出過多を回避する。代わりに、撮影後のターゲット画像の背景光源領域が露出過多ではない場合に、撮影対象の画像フレームの複数の画像フレームの背景光源領域が、撮影後のターゲット画像の背景光源領域として用いられる。
【００５９】
段階Ｓ１０７：撮影対象の画像フレームのうち１つ又は複数の無光源領域を合成し、合成された無光源領域をターゲット画像の無光源領域として用い、ターゲット画像の合成された無光源領域の明度を高め、露出過多を回避する。具体的には、撮影対象の画像フレームにおいて時系列で取得された最初のＮ個の画像フレームの無光源領域が合成され、合成された無光源領域は、ターゲット画像の無光源領域として用いられ、ターゲット画像の合成された無光源領域の明度を高め、露出過多を回避する。ここで、Ｎの値は、正の整数である。最初のＮ個の画像フレームの無光源領域における同じ位置の画素の明度が加算され、加算された明度は、合成された無光源領域の明度として用いられ、明度を高め、画像の無光源領域をより詳細に示し、露出過多を回避する。代わりに、撮影対象の画像フレームのうちの１つの無光源領域は、ターゲット画像の無光源領域として用いられ、ターゲット画像の合成された無光源領域の明度を高め、露出過多を回避する。代わりに、撮影後のターゲット画像の無光源領域が露出過多ではない場合に、撮影対象の画像フレームのうち任意の複数の画像フレームの無光源領域が合成され、合成された無光源領域は、ターゲット画像の無光源領域として用いられる。
【００６０】
段階Ｓ１０８：撮影命令を取得した後で、ターゲット画像を格納する。具体的には、その光軌跡領域、背景光源領域、及び無光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域、背景光源領域、及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。
【００６１】
有益な効果は、撮影対象の各画像フレームが、第１の予め設定された明度値に従って、光軌跡領域、背景光源領域、及び無光源領域に分割され、異なる明度値の処理が３つの領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【００６２】
さらに、撮影対象の画像フレームを連続的に取得する段階の後であって、第１の予め設定された明度値に従って、撮影対象の各画像フレームを、光軌跡領域、背景光源領域、及び無光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする段階と、
をさらに含む。
【００６３】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【００６４】
さらに、撮影対象の画像フレームを連続的に取得する段階の後であって、第１の予め設定された明度値に従って、撮影対象の各画像フレームを、光軌跡領域、背景光源領域、及び無光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【００６５】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【００６６】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階の後であって、撮影命令を取得した後で、ターゲット画像を格納する段階の前に、方法は、
光軌跡領域、背景光源領域、及び無光源領域の境界に対して明度スムージング処理を実行する段階
をさらに含む。
【００６７】
有益な効果は、境界に対して明度スムージング処理が実行されることにより、画像の明度が緩やかに変化することである。
【００６８】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする段階
を含む。
【００６９】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【００７０】
さらに、第１の予め設定された明度値に従って、撮影対象の各画像フレームを、光軌跡領域、背景光源領域、及び無光源領域に分割する段階は、
撮影対象の画像フレームの同じ画素位置における画像の差異度及び第１の予め設定された明度値に従って、撮影対象の各画像フレームを、光軌跡領域、背景光源領域、及び無光源領域に分割する段階であって、差異度は、撮影対象の画像フレームの同じ画素位置における画像が異なるか否かを指す、段階
を含む。
【００７１】
さらに、第１の予め設定された明度値に従って、撮影対象の各画像フレームを光軌跡領域、背景光源領域、及び無光源領域に分割する段階は、
第１の予め設定された明度値（約２１０）に従って、撮影対象の各画像フレームを、光軌跡領域、背景光源領域、及び無光源領域に分割する段階であって、光軌跡領域は、同じ画素位置における画像フレームの間に差が存在し、かつ、明度値が第１の予め設定された明度値（約２１０）より大きい又はこれに等しい領域であり、背景光源領域は、同じ画素位置における画像フレームの間に差が存在せず、かつ、明度値が第１の予め設定された明度値（約２１０）より大きい又はこれに等しい領域であり、無光源領域は、同じ画素位置における画像フレームの間に差が存在せず、かつ、明度値が第１の予め設定された明度値（約２１０）より小さい領域である、段階
を含む。
【００７２】
有益な効果は、各画像フレームが、光軌跡領域、背景光源領域、及び無光源領域に分割されることにより、撮影装置が、当該領域に対して特定の画像処理を別個に実行できることである。
【００７３】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階は、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる段階であって、Ｎは、正の整数である、段階
を含む。
【００７４】
有益な効果は、ターゲット画像の無光源領域を合成によって形成するために用いられるフレームを選択することは、撮影を通して得られる画像の無光源領域の明度を高め、露出過多を回避することにより、画像の無光源領域の詳細がより効果的に示され得ることである。
【００７５】
図２に示されるように、本願の実施形態に係る撮影方法の実施形態２は、以下の段階を含む。
【００７６】
段階Ｓ２０１：スローシャッタ撮影モードに入る命令を取得した後で、スローシャッタ撮影モードに入る。具体的には、撮影装置のプロセッサは、入力デバイスを用いることによって、ユーザによって入力又は選択された、スローシャッタ撮影モードに入る命令を取得する。
【００７７】
段階Ｓ２０２：撮影対象の画像フレームを連続的に取得する。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【００７８】
段階Ｓ２０３：撮影後のターゲット画像の露出過多を回避するために、撮影対象の画像フレームの明度を取得し、スローシャッタ撮影モードに設定される必要があるパラメータの値を調整する。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【００７９】
段階Ｓ２０４：第１の予め設定された明度値に従って、撮影対象の各画像フレームを光軌跡領域及び無光源領域に分割する。光軌跡領域は、撮影対象の移動する対象によって移動中に形成される領域であり、滝、流星、又は花火によって形成される軌跡を含む。無光源領域は、光源のない領域である。第１の予め設定された明度値は、約２１０である。
【００８０】
段階Ｓ２０５：撮影対象の画像フレームの光軌跡領域を合成し、合成された光軌跡領域を、ターゲット画像の光軌跡領域として用いる。具体的には、画像フレームの光軌跡領域における同じ位置の画素の明度が加算され、加算された明度は、合成された光軌跡領域の明度として用いられる。
【００８１】
段階Ｓ２０６：撮影対象の画像フレームのうち１つ又は複数の無光源領域を合成し、合成された無光源領域をターゲット画像の無光源領域として用い、ターゲット画像の合成された無光源領域の明度を高め、露出過多を回避する。具体的には、最初のＮ個の画像フレームの無光源領域における同じ位置の画素の明度が加算され、加算された明度は、合成された光軌跡領域の明度として用いられ、明度を高め、画像の無光源領域をより詳細に示し、露出過多を回避する。最初のＮ個の画像フレームの無光源領域における同じ位置の画素の明度が加算され、加算された明度は、合成された光軌跡領域の明度として用いられ、明度を高め、画像の無光源領域をより詳細に示し、露出過多を回避する。代わりに、撮影対象の画像フレームのうちの１つの無光源領域は、合成されてターゲット画像の無光源領域として用いられ、ターゲット画像の合成された無光源領域の明度を高め、露出過多を回避する。代わりに、撮影後のターゲット画像の無光源領域が露出過多ではない場合に、撮影対象の画像フレームのうち任意の複数の画像フレームの無光源領域が合成され、合成された無光源領域は、ターゲット画像の無光源領域として用いられる。
【００８２】
段階Ｓ２０７：撮影命令を取得した後で、ターゲット画像を格納する。具体的には、その光軌跡領域及び無光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域、背景光源領域、及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。
【００８３】
有益な効果は、撮影対象の各画像フレームが、第１の予め設定された明度値に従って、光軌跡領域及び無光源領域に分割され、異なる明度値の処理が２つの領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【００８４】
さらに、撮影対象の画像フレームを連続的に取得する段階の後であって、第１の予め設定された明度値に従って、撮影対象の各画像フレームを、光軌跡領域及び無光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする段階と、
をさらに含む。
【００８５】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【００８６】
さらに、撮影対象の画像フレームを連続的に取得する段階の後であって、第１の予め設定された明度値に従って、撮影対象の各画像フレームを、光軌跡領域及び無光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【００８７】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【００８８】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階の後であって、撮影命令を取得した後で、ターゲット画像を格納する段階の前に、方法は、
光軌跡領域及び無光源領域の境界に対して明度スムージング処理を実行する段階
をさらに含む。
【００８９】
有益な効果は、境界に対して明度スムージング処理が実行されることにより、画像の明度が緩やかに変化することである。
【００９０】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、画像における低下したパーセンテージ値を予め設定されたパーセンテージ閾値の範囲内にする段階
を含む。
【００９１】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【００９２】
さらに、第１の予め設定された明度値に従って、撮影対象の各画像フレームを光軌跡領域及び無光源領域に分割する段階は、
第１の予め設定された明度値に従って、撮影対象の各画像フレームを光軌跡領域及び無光源領域に分割する段階であって、光軌跡領域は、同じ画素位置における画像フレームの間に差が存在し、かつ、明度値が第１の予め設定された明度値より大きい又はこれに等しい領域であり、無光源領域は、同じ画素位置における画像フレームの間に差が存在せず、かつ、明度値が第１の予め設定された明度値より小さい領域である、段階
を含む。
【００９３】
有益な効果は、各画像フレームが光軌跡領域及び無光源領域に分割されることにより、撮影装置が、当該領域に対して特定の画像処理を別個に実行できることである。
【００９４】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する段階は、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる段階
を含む。
【００９５】
有益な効果は、ターゲット画像の無光源領域を合成によって形成するために用いられるフレームを選択することは、撮影を通して得られる画像の無光源領域の明度を高め、露出過多を回避することにより、画像の無光源領域の詳細がより効果的に示され得ることである。
【００９６】
図３に示されるように、本願の実施形態に係る撮影方法の実施形態３は、以下の段階を含む。
【００９７】
段階Ｓ３０１：スローシャッタ撮影モードに入る命令を取得した後で、スローシャッタ撮影モードに入る。具体的には、撮影装置のプロセッサは、入力デバイスを用いることによって、ユーザによって入力又は選択された、スローシャッタ撮影モードに入る命令を取得する。
【００９８】
段階Ｓ３０２：撮影対象の画像フレームを連続的に取得する。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【００９９】
段階Ｓ３０３：撮影後のターゲット画像の露出過多を回避するために、撮影対象の画像フレームの明度を取得し、スローシャッタ撮影モードに設定される必要があるパラメータの値を調整する。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【０１００】
段階Ｓ３０４：第１の予め設定された明度値に従って、撮影対象の各画像フレームを光軌跡領域及び背景光源領域に分割する。光軌跡領域は、撮影対象の移動する対象によって移動中に形成される領域であり、滝、流星、又は花火によって形成される軌跡を含む。背景光源領域は、撮影対象の光軌跡領域以外の他の光源領域、例えば、街灯又は星である。第１の予め設定された明度値の値は、約２１０である。
【０１０１】
段階Ｓ３０５：撮影対象の画像フレームの光軌跡領域を合成し、合成された光軌跡領域を、ターゲット画像の光軌跡領域として用いる。
【０１０２】
具体的には、画像フレームの光軌跡領域における同じ位置の画素の明度が加算され、加算された明度は、合成された光軌跡領域の明度として用いられる。
【０１０３】
段階Ｓ３０６：撮影対象の画像フレームのうち１つ又は複数の背景光源領域をターゲット画像の背景光源領域として用い、ターゲット画像の背景光源領域の露出過多を回避する。
【０１０４】
段階Ｓ３０７：撮影命令を取得した後で、ターゲット画像を格納する。具体的には、その光軌跡領域及び背景光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域、背景光源領域、及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。
【０１０５】
有益な効果は、撮影対象の各画像フレームが、第１の予め設定された明度値に従って、光軌跡領域及び背景光源領域に分割され、異なる明度値の処理が２つの領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【０１０６】
さらに、撮影対象の画像フレームを連続的に取得する段階の後であって、第１の予め設定された明度値に従って、撮影対象の各画像フレームを、光軌跡領域及び背景光源領域に分割する段階の前に、方法は、
撮影対象の画像フレームの明度を取得する段階と、
スローシャッタ撮影モードに設定される必要があるパラメータの値が直接取得されない場合に、取得された明度に従って、撮影対象の画像における、その明度が第２の予め設定された明度値より大きい又はこれに等しい画素の数を取得する段階と、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出する段階と、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする段階と、
をさらに含む。
【０１０７】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【０１０８】
さらに、撮影対象の画像フレームを連続的に取得する段階の後であって、第１の予め設定された明度値に従って、撮影対象の各画像フレームを、光軌跡領域及び背景光源領域に分割する段階の前に、方法は、
撮影対象の画像フレームの明度を取得する段階と、
スローシャッタ撮影モードに設定される必要があるパラメータの値が直接取得される場合に、パラメータの直接取得された値に従って、スローシャッタ撮影モードに設定される必要があるパラメータを調整する段階であって、スローシャッタ撮影モードに設定される必要があるパラメータの値は、画像の明度に従って、ユーザによって設定される、段階と、
をさらに含む。
【０１０９】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【０１１０】
さらに、撮影対象の画像フレームのうち１つ又は複数の背景光源領域をターゲット画像の背景光源領域として用い、ターゲット画像の背景光源領域の露出過多を回避する段階の後であって、撮影命令を取得した後で、ターゲット画像を格納する段階の前に、方法は、
光軌跡領域及び背景光源領域の境界に対して明度スムージング処理を実行する段階
をさらに含む。
【０１１１】
有益な効果は、境界に対して明度スムージング処理が実行されることにより、画像の明度が緩やかに変化することである。
【０１１２】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする段階は、
パーセンテージ値が予め設定されたパーセンテージ閾値の上限より大きい又はこれに等しい場合に、露出時間の値及びＩＳＯ値（ＩＳＯ）を低下させることにより、画像における低下したパーセンテージ値を予め設定されたパーセンテージ閾値の範囲内にする段階
を含む。
【０１１３】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【０１１４】
さらに、第１の予め設定された明度値に従って、撮影対象の各画像フレームを光軌跡領域及び背景光源領域に分割する段階は、
第１の予め設定された明度値に従って、撮影対象の各画像フレームを光軌跡領域及び背景光源領域に分割する段階であって、光軌跡領域は、同じ画素位置における画像フレームの間に差が存在し、かつ、明度値が第１の予め設定された明度値より大きい又はこれに等しい領域であり、背景光源領域は、同じ画素位置における画像フレームの間に差が存在せず、かつ、明度値が第１の予め設定された明度値より大きい又はこれに等しい領域である、段階
を含む。
【０１１５】
有益な効果は、各画像フレームが光軌跡領域及び背景光源領域に分割されることにより、撮影装置が、当該領域に対して特定の画像処理を別個に実行できることである。
【０１１６】
図４に示されるように、図４は、本願の実施形態に係る撮影装置の実施形態１の模式的構造図である。撮影装置は、第１の取得モジュール４１、第１の処理モジュール４２、及び第１の撮影モジュール４３を含む。
【０１１７】
第１の取得モジュール４１は、スローシャッタ撮影モードに入る命令を取得するように構成される。具体的には、撮影装置のプロセッサは、入力デバイスを用いることによって、ユーザによって入力又は選択された、スローシャッタ撮影モードに入る命令を取得する。
【０１１８】
第１の取得モジュール４１は、スローシャッタ撮影モードに入る命令に従って、撮影装置がスローシャッタ撮影モードに入った後で、撮影対象の画像フレームを連続的に取得するようにさらに構成される。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【０１１９】
第１の取得モジュール４１は、撮影対象の画像フレームの明度を取得し、スローシャッタ撮影モードに設定される必要があるパラメータの値を調整するようにさらに構成される。
【０１２０】
第１の処理モジュール４２は、撮影後のターゲット画像の露出過多を回避するために、撮影対象の画像フレームの明度に従って、スローシャッタ撮影モードに設定される必要があるパラメータの値を調整するように構成される。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【０１２１】
第１の処理モジュール４２は、第１の予め設定された明度値に従って、撮影対象の各画像フレームを、光軌跡領域、背景光源領域、及び無光源領域に分割するように構成される。光軌跡領域は、撮影対象の移動する対象によって移動中に形成される領域であり、滝、流星、又は花火によって形成される軌跡を含む。背景光源領域は、撮影対象の光軌跡領域以外の他の光源領域、例えば、街灯又は星である。無光源領域は、光源のない領域である。第１の予め設定された明度値の値は、約２１０である。
【０１２２】
第１の処理モジュール４２は、撮影対象の画像フレームの光軌跡領域を合成し、合成された光軌跡領域を、ターゲット画像の光軌跡領域として用いるようにさらに構成される。
【０１２３】
具体的には、画像フレームの光軌跡領域における同じ位置の画素の明度が加算され、加算された明度は、合成された光軌跡領域の明度として用いられる。代わりに、いくつかの画像フレームの光軌跡領域における同じ位置の画素の明度が加算され、加算された明度は、合成された光軌跡領域の明度として用いられる。
【０１２４】
第１の処理モジュール４２は、撮影対象の画像フレームのうち１つ又は複数の背景光源領域をターゲット画像の背景光源領域として用い、ターゲット画像の背景光源領域の露出過多を回避するようにさらに構成される。具体的には、撮影対象の画像フレームのいずれか１つの背景光源領域が、撮影後のターゲット画像の背景光源領域として用いられ、撮影後のターゲット画像の背景光源領域の露出過多を回避する。代わりに、撮影後のターゲット画像の背景光源領域が露出過多ではない場合に、撮影対象の画像フレームの複数の画像フレームの背景光源領域が、撮影後のターゲット画像の背景光源領域として用いられる。
【０１２５】
第１の処理モジュール４２は、撮影対象の画像フレームのうち１つ又は複数の無光源領域を合成し、合成された無光源領域をターゲット画像の無光源領域として用い、ターゲット画像の合成された無光源領域の明度を高め、露出過多を回避するようにさらに構成される。
【０１２６】
具体的には、撮影対象の画像フレームにおいて時系列で取得された最初のＮ個の画像フレームの無光源領域が合成され、合成された無光源領域は、ターゲット画像の無光源領域として用いられ、ターゲット画像の合成された無光源領域の明度を高め、露出過多を回避する。ここで、Ｎの値は、正の整数である。最初のＮ個の画像フレームの無光源領域における同じ位置の画素の明度が加算され、加算された明度は、合成された光軌跡領域の明度として用いられ、明度を高め、画像の無光源領域をより詳細に示し、露出過多を回避する。代わりに、撮影対象の画像フレームのうちの１つの無光源領域は、合成されてターゲット画像の無光源領域として用いられ、ターゲット画像の合成された無光源領域の明度を高め、露出過多を回避する。代わりに、撮影後のターゲット画像の無光源領域が露出過多ではない場合に、撮影対象の画像フレームのうち任意の複数の画像フレームの無光源領域が合成され、合成された無光源領域は、ターゲット画像の無光源領域として用いられる。
【０１２７】
第１の撮影モジュール４３は、撮影命令を取得した後で、ターゲット画像を格納するように構成される。具体的には、その光軌跡領域、背景光源領域、及び無光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域、背景光源領域、及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。
【０１２８】
有益な効果は、撮影対象の各画像フレームが、第１の予め設定された明度値に従って、光軌跡領域、背景光源領域、及び無光源領域に分割され、異なる明度値の処理が異なる領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【０１２９】
さらに、第１の処理モジュール４２は、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする
ようにさらに構成される。
【０１３０】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【０１３１】
さらに、第１の処理モジュール４２は、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【０１３２】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【０１３３】
さらに、第１の処理モジュール４２は、光軌跡領域、背景光源領域、及び無光源領域の境界に対して明度スムージング処理を実行するようにさらに構成される。
【０１３４】
有益な効果は、境界に対して明度スムージング処理が実行されることにより、画像の明度が緩やかに変化することである。
【０１３５】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする場合、第１の処理モジュール４２は、具体的には、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする
ように構成される。
【０１３６】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【０１３７】
さらに、第１の予め設定された明度値に従って、撮影対象の各画像フレームを、光軌跡領域、背景光源領域、及び無光源領域に分割する場合に、第１の処理モジュール４２は、具体的には、
撮影対象の画像フレームの同じ画素位置における画像の差異度及び第１の予め設定された明度値に従って、撮影対象の各画像フレームを、光軌跡領域、背景光源領域、及び無光源領域に分割する
ように構成され、
差異度は、撮影対象の画像フレームの同じ画素位置における画像が異なるか否かを指す。
【０１３８】
さらに、第１の予め設定された明度値に従って、撮影対象の各画像フレームを光軌跡領域、背景光源領域、及び無光源領域に分割する場合に、第１の処理モジュール４２は、具体的には、
第１の予め設定された明度値（約２１０）に従って、撮影対象の各画像フレームを、光軌跡領域、背景光源領域、及び無光源領域に分割する
ように構成され、
光軌跡領域は、同じ画素位置における画像フレームの間に差が存在し、かつ、明度値が第１の予め設定された明度値（約２１０）より大きい又はこれに等しい領域であり、背景光源領域は、同じ画素位置における画像フレームの間に差が存在せず、かつ、明度値が第１の予め設定された明度値（約２１０）より大きい又はこれに等しい領域であり、無光源領域は、同じ画素位置における画像フレームの間に差が存在せず、かつ、明度値が第１の予め設定された明度値（約２１０）より小さい領域である。
【０１３９】
有益な効果は、各画像フレームが、光軌跡領域、背景光源領域、及び無光源領域に分割されることにより、撮影装置が、当該領域に対して特定の画像処理を別個に実行できることである。
【０１４０】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する場合に、第１の処理モジュール４２は、具体的には、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる
ように構成され、
Ｎは、正の整数である。
【０１４１】
有益な効果は、ターゲット画像の無光源領域を合成によって形成するために用いられるフレームを選択することは、撮影を通して得られる画像の無光源領域の明度を高め、露出過多を回避することにより、画像の無光源領域の詳細がより効果的に示され得ることである。
【０１４２】
図５に示されるように、図５は、本願の実施形態に係る撮影装置の実施形態２の模式的構造図である。撮影装置は、第２の取得モジュール５１、第２の処理モジュール５２、及び第２の撮影モジュール５３を含む。
【０１４３】
第２の取得モジュール５１は、スローシャッタ撮影モードに入る命令を取得するように構成される。具体的には、撮影装置のプロセッサは、入力デバイスを用いることによって、ユーザによって入力又は選択された、スローシャッタ撮影モードに入る命令を取得する。
【０１４４】
第２の取得モジュール５１は、スローシャッタ撮影モードに入る命令に従って、撮影装置がスローシャッタ撮影モードに入った後で、撮影対象の画像フレームを連続的に取得するようにさらに構成される。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【０１４５】
第２の取得モジュール５１は、撮影対象の画像フレームの明度を取得し、スローシャッタ撮影モードに設定される必要があるパラメータの値を調整するようにさらに構成される。
【０１４６】
第２の処理モジュール５２は、撮影後のターゲット画像の露出過多を回避するために、撮影対象の画像フレームの明度に従って、スローシャッタ撮影モードに設定される必要があるパラメータの値を調整するように構成される。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【０１４７】
第２の処理モジュール５２は、第１の予め設定された明度値に従って、撮影対象の各画像フレームを光軌跡領域及び背景光源領域に分割するように構成される。光軌跡領域は、撮影対象の移動する対象によって移動中に形成される領域であり、滝、流星、又は花火によって形成される軌跡を含む。背景光源領域は、撮影対象の光軌跡領域以外の他の光源領域、例えば、街灯又は星である。第１の予め設定された明度値の値は、約２１０である。
【０１４８】
第２の処理モジュール５２は、撮影対象の画像フレームの光軌跡領域を合成し、合成された光軌跡領域を、ターゲット画像の光軌跡領域として用いるようにさらに構成される。具体的には、画像フレームの光軌跡領域における同じ位置の画素の明度が加算され、加算された明度は、合成された光軌跡領域の明度として用いられる。代わりに、いくつかの画像フレームの光軌跡領域における同じ位置の画素の明度が加算され、加算された明度は、合成された光軌跡領域の明度として用いられる。
【０１４９】
第２の処理モジュール５２は、撮影対象の画像フレームのうち１つ又は複数の背景光源領域をターゲット画像の背景光源領域として用い、ターゲット画像の背景光源領域の露出過多を回避するようにさらに構成される。具体的には、撮影対象の画像フレームのいずれか１つの背景光源領域が、撮影後のターゲット画像の背景光源領域として用いられ、撮影後のターゲット画像の背景光源領域の露出過多を回避する。代わりに、撮影後のターゲット画像の背景光源領域が露出過多ではない場合に、撮影対象の画像フレームの複数の画像フレームの背景光源領域が、撮影後のターゲット画像の背景光源領域として用いられる。
【０１５０】
第２の撮影モジュール５３は、撮影命令を取得した後で、ターゲット画像を格納する。具体的には、その光軌跡領域、背景光源領域、及び無光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域、背景光源領域、及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。有益な効果は、撮影対象の各画像フレームが、第１の予め設定された明度値に従って、光軌跡領域及び背景光源領域に分割され、異なる明度値の処理が２つの領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【０１５１】
さらに、第２の処理モジュール５２は、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする
ようにさらに構成される。
【０１５２】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【０１５３】
さらに、第２の処理モジュール５２は、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【０１５４】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【０１５５】
さらに、第２の処理モジュール５２は、
光軌跡領域及び無光源領域の境界に対して明度スムージング処理を実行する
ようにさらに構成される。
【０１５６】
有益な効果は、境界に対して明度スムージング処理が実行されることにより、画像の明度が緩やかに変化することである。
【０１５７】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする場合、第２の処理モジュール５２は、具体的には、
パーセンテージ値が予め設定されたパーセンテージ閾値の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする
ように構成される。
【０１５８】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【０１５９】
さらに、第１の予め設定された明度値に従って、撮影対象の各画像フレームを光軌跡領域及び背景光源領域に分割する場合に、第２の処理モジュール５２は、具体的には、
第１の予め設定された明度値（約２１０）に従って、撮影対象の各画像フレームを光軌跡領域及び背景光源領域に分割する
ように構成され、
光軌跡領域は、同じ画素位置における画像フレームの間に差が存在し、かつ、明度値が第１の予め設定された明度値（約２１０）より大きい又はこれに等しい領域であり、背景光源領域は、同じ画素位置における画像フレームの間に差が存在せず、かつ、明度値が第１の予め設定された明度値（約２１０）より大きい又はこれに等しい領域である。
【０１６０】
有益な効果は、各画像フレームが光軌跡領域及び背景光源領域に分割されることにより、撮影装置が、当該領域に対して特定の画像処理を別個に実行できることである。
【０１６１】
図６に示されるように、図６は、本願の実施形態に係る撮影装置の実施形態３の模式的構造図である。撮影装置は、第３の取得モジュール６１、第３の処理モジュール６２、及び第３の撮影モジュール６３を含む。
【０１６２】
第３の取得モジュール６１は、スローシャッタ撮影モードに入る命令を取得するように構成される。具体的には、撮影装置のプロセッサは、入力デバイスを用いることによって、ユーザによって入力又は選択された、スローシャッタ撮影モードに入る命令を取得する。
【０１６３】
第３の取得モジュール６１は、スローシャッタ撮影モードに入る命令に従って、撮影装置がスローシャッタ撮影モードに入った後で、撮影対象の画像フレームを連続的に取得するようにさらに構成される。具体的には、スローシャッタ撮影モードに入った後で、撮影装置のプロセッサは、カメラを用いることによって、異なる瞬間における撮影対象の画像フレームを取得し、撮影装置のスクリーンに画像フレームを表示する。
【０１６４】
第３の取得モジュール６１は、撮影対象の画像フレームの明度を取得し、スローシャッタ撮影モードに設定される必要があるパラメータの値を調整するようにさらに構成される。
【０１６５】
第３の処理モジュール６２は、撮影後のターゲット画像の露出過多を回避するために、撮影対象の画像フレームの明度に従って、スローシャッタ撮影モードに設定される必要があるパラメータの値を調整するように構成される。具体的には、画像フレームの明度が取得された後で、全ての画素の中で、その明度が特定の明度値より大きい又はこれに等しい画素のパーセンテージに関する統計が収集され、パーセンテージ値は、特定の閾値に調整され、ターゲット画像の全体明度を調整する。
【０１６６】
第３の処理モジュール６２は、第１の予め設定された明度値に従って、撮影対象の各画像フレームを光軌跡領域及び無光源領域に分割する。光軌跡領域は、撮影対象の移動する対象によって移動中に形成される領域であり、滝、流星、又は花火によって形成される軌跡を含む。無光源領域は、光源のない領域である。
【０１６７】
第３の処理モジュール６２は、撮影対象の画像フレームの光軌跡領域を合成し、合成された光軌跡領域を、ターゲット画像の光軌跡領域として用いるようにさらに構成される。具体的には、画像フレームの光軌跡領域における同じ位置の画素の明度が加算され、加算された明度は、合成された光軌跡領域の明度として用いられる。代わりに、いくつかの画像フレームの光軌跡領域における同じ位置の画素の明度が加算され、加算された明度は、合成された光軌跡領域の明度として用いられる。
【０１６８】
第３の処理モジュール６２は、撮影対象の画像フレームのうち１つ又は複数の無光源領域を合成し、合成された無光源領域をターゲット画像の無光源領域として用い、ターゲット画像の合成された無光源領域の明度を高め、露出過多を回避するようにさらに構成される。
【０１６９】
具体的には、撮影対象の画像フレームにおいて時系列で取得された最初のＮ個の画像フレームの無光源領域が合成され、合成された無光源領域は、ターゲット画像の無光源領域として用いられ、ターゲット画像の合成された無光源領域の明度を高め、露出過多を回避する。ここで、Ｎの値は、正の整数である。最初のＮ個の画像フレームの無光源領域における同じ位置の画素の明度が加算され、加算された明度は、合成された光軌跡領域の明度として用いられ、明度を高め、画像の無光源領域をより詳細に示し、露出過多を回避する。代わりに、撮影対象の画像フレームのうちの１つの無光源領域は、合成されてターゲット画像の無光源領域として用いられ、ターゲット画像の合成された無光源領域の明度を高め、露出過多を回避する。代わりに、撮影後のターゲット画像の無光源領域が露出過多ではない場合に、撮影対象の画像フレームのうち任意の複数の画像フレームの無光源領域が合成され、合成された無光源領域は、ターゲット画像の無光源領域として用いられる。
【０１７０】
第３の撮影モジュール６３は、撮影命令を取得した後で、ターゲット画像を格納する。具体的には、その光軌跡領域及び無光源領域が処理されるターゲット画像に対して、撮影装置は、シャッタを押下して撮影動作を実行する命令を取得した後で、ターゲット画像をメモリに格納する。代わりに、プロセッサによって処理される光軌跡領域及び無光源領域を含むターゲット画像は、最初に、プレビューのために撮影装置のスクリーンに表示され、シャッタを押下して撮影動作を実行する命令が取得された後で、スクリーン上でプレビューされる画像が処理され、記憶媒体に格納される。有益な効果は、撮影対象の各画像フレームが、第１の予め設定された明度値に従って、光軌跡領域及び無光源領域に分割され、異なる明度値の処理が２つの領域に対して実行されることにより、撮影経験に乏しいユーザが、撮影を通して、光源の移動軌跡の高品質画像を得ることができ、得られた画像は、シャープネス及び露出が高品質であり、光源の移動軌跡を効果的に反映することもできる。例えば、手持ち型光源が動かされた後で形成される光軌跡パターンのエフェクト、消えやすい花火大会の閃光、及び壮大な滝によってもたらされる絹のような水のエフェクトを含む画像が、撮影によって取得可能となる。
【０１７１】
さらに、第３の処理モジュール６２は、
スローシャッタ撮影モードに設定される必要があるパラメータの値が直接取得されない場合に、撮影対象の画像フレームの明度が取得された後で、明度に従って、撮影対象の画像における、その明度が第２の予め設定された明度値より大きい又はこれに等しい画素の数を取得し、
その明度が第２の予め設定された明度値より大きい又はこれに等しい画素の数、及び撮影対象の画像における総画素数に従って、その明度が第２の予め設定された明度値より大きい又はこれに等しい画素のパーセンテージ値を算出し、
パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、画像における低下したパーセンテージ値を予め設定されたパーセンテージ閾値の範囲内にする
ようにさらに構成される。
【０１７２】
有益な効果は、ユーザがスローシャッタに設定される必要があるパラメータの値を入力しない場合に、その明度が第２の予め設定された明度値より大きい又はこれに等しい画素のパーセンテージ値が調整され、画像の全体明度を調整し、得られたターゲット画像の露出過多を回避することである。これが、撮影装置の自動調整モードである。
【０１７３】
さらに、第３の処理モジュール６２は、スローシャッタ撮影モードに設定される必要があるパラメータの値が直接取得される場合に、パラメータの直接取得された値に従って、スローシャッタ撮影モードに設定される必要があるパラメータを調整するようにさらに構成され、スローシャッタ撮影モードに設定される必要があるパラメータの値は、ユーザによって設定される。
【０１７４】
有益な効果は、スローシャッタに設定される必要があるパラメータのユーザ入力値が直接取得される場合に、スローシャッタ撮影モードに設定される必要があるパラメータが直接設定され、画像の全体明度を調整し、得られたターゲット画像の露出過多を回避することである。これが、手動調整モードである。
【０１７５】
さらに、第３の処理モジュール６２は、
光軌跡領域及び背景光源領域の境界に対して明度スムージング処理を実行する
ようにさらに構成される。
【０１７６】
有益な効果は、境界に対して明度スムージング処理が実行されることにより、画像の明度が緩やかに変化することである。
【０１７７】
さらに、パーセンテージ値が予め設定されたパーセンテージ閾値の上限より大きい又はこれに等しい場合に、スローシャッタ撮影モードに設定される必要があるパラメータの値を調整し、パーセンテージ値を低下させることにより、撮影後の画像における低下したパーセンテージ値を予め設定されたパーセンテージ閾値の範囲内にする場合、処理モジュール６２は、具体的には、
パーセンテージ値が予め設定されたパーセンテージ閾値（２０％から３０％の任意のパーセンテージ）の上限より大きい又はこれに等しい場合に、露出時間の値及びＩＳＯ値（ＩＳＯ）を低下させることにより、撮影後の画像における低下したパーセンテージ値を予め設定されたパーセンテージ閾値の範囲内にする
ように構成される。
【０１７８】
有益な効果は、スローシャッタ撮影モードに設定される必要があるパラメータが設定され、画像の全体明度を調整し、露出時間の値及びＩＳＯ値（ＩＳＯ）が低下させられ、得られたターゲット画像の露出過多を回避することである。
【０１７９】
さらに、第１の予め設定された明度値に従って、撮影対象の各画像フレームを光軌跡領域及び無光源領域に分割する場合に、第３の処理モジュール６２は、具体的には、
第１の予め設定された明度値（約２１０）に従って、撮影対象の各画像フレームを光軌跡領域及び無光源領域に分割する
ように構成され、
光軌跡領域は、同じ画素位置における画像フレームの間に差が存在し、かつ、明度値が第１の予め設定された明度値（約２１０）より大きい又はこれに等しい領域であり、無光源領域は、同じ画素位置における画像フレームの間に差が存在せず、かつ、明度値が第１の予め設定された明度値（約２１０）より小さい領域である、段階
を含む。
【０１８０】
有益な効果は、各画像フレームが光軌跡領域及び無光源領域に分割されることにより、撮影装置が、当該領域に対して特定の画像処理を別個に実行できることである。
【０１８１】
さらに、撮影対象の画像フレームのうち１つ又は複数の無光源領域を合成し、合成された無光源領域をターゲット画像の無光源領域として用い、ターゲット画像の合成された無光源領域の明度を高め、露出過多を回避する場合に、第３の処理モジュール６２は、具体的には、
撮影対象の画像フレームにおいて時系列で取得された最初のＮ個の画像フレームの無光源領域を合成し、合成された無光源領域の明度値Ｃ、及び時系列で取得されたＮ＋１番目のフレームの無光源領域の明度値を加算して明度値Ｄを取得し、明度値Ｄが第１の予め設定された明度値より大きい又はこれに等しい場合に、最初のＮ個の画像フレームの合成された無光源領域をターゲット画像の無光源領域として用いる
ように構成され、
Ｎは、正の整数である。
【０１８２】
具体的には、撮影対象の画像フレームにおいて時系列で取得された最初のＮ個の画像フレームの無光源領域が合成され、合成された無光源領域は、ターゲット画像の無光源領域として用いられ、ターゲット画像の合成された無光源領域の明度を高め、露出過多を回避する。ここで、Ｎの値は、正の整数である。最初のＮ個の画像フレームの無光源領域における同じ位置の画素の明度が加算され、加算された明度は、合成された無光源領域の明度として用いられ、明度を高め、画像の無光源領域をより詳細に示し、露出過多を回避する。代わりに、撮影対象の画像フレームのうちの１つの無光源領域は、合成されてターゲット画像の無光源領域として用いられ、ターゲット画像の合成された無光源領域の明度を高め、露出過多を回避する。代わりに、撮影後のターゲット画像の無光源領域が露出過多ではない場合に、撮影対象の画像フレームのうち任意の複数の画像フレームの無光源領域が合成され、合成された無光源領域は、ターゲット画像の無光源領域として用いられる。
【０１８３】
図７に示されるように、図７は、本願の実施形態に係る撮影装置の実施形態４の模式的構造図である。撮影装置７００は、スローシャッタ撮影モードに入る命令に従って、撮影装置がスローシャッタ撮影モードに入った後で、撮影対象の画像フレームを連続的に取得するように構成されるカメラ７０１と、
第１の予め設定された明度値に従って、撮影対象の各画像フレームを、光軌跡領域、背景光源領域、及び無光源領域に分割するように構成されるプロセッサ７０２であって、撮影対象の画像フレームの光軌跡領域を合成し、合成された光軌跡領域をターゲット画像の光軌跡領域として用いるようにさらに構成され、撮影対象の画像フレームのうち１つ又は複数の背景光源領域を、ターゲット画像の背景光源領域として用い、ターゲット画像の背景光源領域の露出過多を回避するようにさらに構成され、撮影対象の画像フレームのうち１つ又は複数の無光源領域を合成し、合成された無光源領域をターゲット画像の無光源領域として用い、ターゲット画像の合成された無光源領域の明度を高め、露出過多を回避するようにさらに構成されるプロセッサ７０２と、
データを格納する、具体的には、撮影中及び撮影動作の実行後に、様々な画像データを格納するように構成されるメモリ７０３と、
を含む。
【０１８４】
前述のハードウェアユニットは、データチャネルを用いることによって、データを伝送してよい。
【０１８５】
最後に、前述の実施形態は、本願の技術的解決手段を説明するためのものに過ぎず、本願を限定するためのものではないことに留意されたい。本願は、前述の実施形態に関連して詳細に説明されたが、当業者であれば、本願の実施形態の技術的解決手段の範囲から逸脱することなく、彼らが前述の実施形態において説明された技術的解決手段に複数の変更をさらになし得ること、又は、これらのいくつか又は全ての技術的特徴に均等置換をなし得ることを理解しよう。
［項目１］
撮影方法であって、
スローシャッタ撮影モードに入る命令を取得した後で、上記スローシャッタ撮影モードに入る段階と、
撮影対象の画像フレームを連続的に取得する段階と、
第１の予め設定された明度値に従って、上記撮影対象の各画像フレームを、光軌跡領域、背景光源領域、及び無光源領域に分割する段階と、
上記撮影対象の上記画像フレームの上記光軌跡領域を合成し、上記合成された光軌跡領域をターゲット画像の光軌跡領域として用いる段階と、
上記撮影対象の上記画像フレームのうち１つ又は複数の上記背景光源領域を上記ターゲット画像の背景光源領域として用い、上記ターゲット画像の上記背景光源領域の露出過多を回避する段階と、
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する段階と、
撮影命令を取得した後で、上記ターゲット画像を格納する段階と、
を備える方法。
［項目２］
撮影対象の画像フレームを連続的に取得する上記段階の後であって、第１の予め設定された明度値に従って、上記撮影対象の各画像フレームを、光軌跡領域、背景光源領域、及び無光源領域に分割する上記段階の前に、
上記撮影対象の上記画像フレームの明度を取得する段階と、
上記スローシャッタ撮影モードに設定される必要があるパラメータの値が直接取得されない場合に、上記取得された明度に従って、上記撮影対象の画像における、その明度が第２の予め設定された明度値より大きい又はこれに等しい画素の数を取得する段階と、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出する段階と、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする段階と、
をさらに備える、
項目１に記載の方法。
［項目３］
撮影対象の画像フレームを連続的に取得する上記段階の後であって、第１の予め設定された明度値に従って、上記撮影対象の各画像フレームを、光軌跡領域、背景光源領域、及び無光源領域に分割する上記段階の前に、
上記撮影対象の上記画像フレームの明度を取得する段階と、
上記スローシャッタ撮影モードに設定される必要があるパラメータの値が直接取得される場合に、上記パラメータの上記直接取得された値に従って、上記スローシャッタ撮影モードに設定される必要がある上記パラメータを調整する段階であって、上記スローシャッタ撮影モードに設定される必要がある上記パラメータの上記値は、上記画像の上記明度に従って、ユーザによって設定される、段階と、
をさらに備える、
項目１に記載の方法。
［項目４］
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する上記段階の後であって、撮影命令を取得した後で、上記ターゲット画像を格納する上記段階の前に、
上記光軌跡領域、上記背景光源領域、及び上記無光源領域の境界に対して明度スムージング処理を実行する段階
をさらに備える、
項目１から３のいずれか１項に記載の方法。
［項目５］
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする上記段階は、
上記パーセンテージ値が上記予め設定されたパーセンテージ閾値の上記上限より大きい又はこれに等しい場合に、露出時間の値及びＩＳＯ値（ＩＳＯ）を低下させることにより、上記ターゲット画像における上記低下したパーセンテージ値を上記予め設定されたパーセンテージ閾値の上記範囲内にする段階
を含む、
項目２から４のいずれか１項に記載の方法。
［項目６］
第１の予め設定された明度値に従って、上記撮影対象の各画像フレームを、光軌跡領域、背景光源領域、及び無光源領域に分割する上記段階は、
上記撮影対象の上記画像フレームの同じ画素位置における上記画像の差異度及び上記第１の予め設定された明度値に従って、上記撮影対象の各画像フレームを、上記光軌跡領域、上記背景光源領域、及び上記無光源領域に分割する段階
を含む、
項目１から５のいずれか１項に記載の方法。
［項目７］
上記撮影対象の上記画像フレームの同じ画素位置における上記画像の差異度及び上記第１の予め設定された明度値に従って、上記撮影対象の各画像フレームを、上記光軌跡領域、上記背景光源領域、及び上記無光源領域に分割する上記段階は、
上記第１の予め設定された明度値に従って、上記撮影対象の各画像フレームを、上記光軌跡領域、上記背景光源領域、及び上記無光源領域に分割する段階であって、上記光軌跡領域は、同じ画素位置における上記画像フレームの間に差が存在し、かつ、明度値が上記第１の予め設定された明度値より大きい又はこれに等しい領域であり、上記背景光源領域は、同じ画素位置における上記画像フレームの間に差が存在せず、かつ、明度値が上記第１の予め設定された明度値より大きい又はこれに等しい領域であり、上記無光源領域は、同じ画素位置における上記画像フレームの間に差が存在せず、かつ、明度値が上記第１の予め設定された明度値より小さい領域である、段階
を含む、
項目６に記載の方法。
［項目８］
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する上記段階は、
上記撮影対象の上記画像フレームにおいて時系列で取得された最初のＮ個の画像フレームの上記無光源領域を合成し、上記合成された無光源領域の明度値Ｃ、及び時系列で取得されたＮ＋１番目のフレームの上記無光源領域の明度値を加算して明度値Ｄを取得し、上記明度値Ｄが上記第１の予め設定された明度値より大きい又はこれに等しい場合に、上記最初のＮ個の画像フレームの上記合成された無光源領域を上記ターゲット画像の上記無光源領域として用いる段階であって、Ｎは、正の整数である、段階
を含む、
項目１から７のいずれか１項に記載の方法。
［項目９］
上記第１の予め設定された明度値は、２１０である、
項目１から８のいずれか１項に記載の方法。
［項目１０］
撮影方法であって、
スローシャッタ撮影モードに入る命令を取得した後で、上記スローシャッタ撮影モードに入る段階と、
撮影対象の画像フレームを連続的に取得する段階と、
第１の予め設定された明度値に従って、上記撮影対象の各画像フレームを光軌跡領域及び無光源領域に分割する段階と、
上記撮影対象の上記画像フレームの上記光軌跡領域を合成し、上記合成された光軌跡領域をターゲット画像の光軌跡領域として用いる段階と、
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する段階と、
撮影命令を取得した後で、上記ターゲット画像を格納する段階と、
を備える方法。
［項目１１］
撮影対象の画像フレームを連続的に取得する上記段階の後であって、第１の予め設定された明度値に従って、上記撮影対象の各画像フレームを光軌跡領域及び無光源領域に分割する上記段階の前に、
上記撮影対象の上記画像フレームの明度を取得する段階と、
上記スローシャッタ撮影モードに設定される必要があるパラメータの値が直接取得されない場合に、上記取得された明度に従って、上記撮影対象の画像における、その明度が第２の予め設定された明度値より大きい又はこれに等しい画素の数を取得する段階と、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出する段階と、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする段階と、
をさらに備える、
項目１０に記載の方法。
［項目１２］
撮影対象の画像フレームを連続的に取得する上記段階の後であって、第１の予め設定された明度値に従って、上記撮影対象の各画像フレームを光軌跡領域及び無光源領域に分割する上記段階の前に、
上記撮影対象の上記画像フレームの明度を取得する段階と、
上記スローシャッタ撮影モードに設定される必要があるパラメータの値が直接取得される場合に、上記パラメータの上記直接取得された値に従って、上記スローシャッタ撮影モードに設定される必要がある上記パラメータを調整する段階であって、上記スローシャッタ撮影モードに設定される必要がある上記パラメータの上記値は、上記画像の上記明度に従って、ユーザによって設定される、段階と、
をさらに備える、
項目１０に記載の方法。
［項目１３］
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する上記段階の後であって、撮影命令を取得した後で、上記ターゲット画像を格納する上記段階の前に、
上記光軌跡領域及び上記無光源領域の境界に対して明度スムージング処理を実行する段階
をさらに備える、
項目１０から１２のいずれか１項に記載の方法。
［項目１４］
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする上記段階は、
上記パーセンテージ値が上記予め設定されたパーセンテージ閾値の上記上限より大きい又はこれに等しい場合に、露出時間の値及びＩＳＯ値（ＩＳＯ）を低下させることにより、上記ターゲット画像における上記低下したパーセンテージ値を上記予め設定されたパーセンテージ閾値の上記範囲内にする段階
を含む、
項目１１から１３のいずれか１項に記載の方法。
［項目１５］
第１の予め設定された明度値に従って、上記撮影対象の各画像フレームを光軌跡領域及び無光源領域に分割する上記段階は、
上記第１の予め設定された明度値に従って、上記撮影対象の各画像フレームを上記光軌跡領域及び上記無光源領域に分割する段階であって、上記光軌跡領域は、同じ画素位置における上記画像フレームの間に差が存在し、かつ、明度値が上記第１の予め設定された明度値より大きい又はこれに等しい領域であり、上記無光源領域は、同じ画素位置における上記画像フレームの間に差が存在せず、かつ、明度値が上記第１の予め設定された明度値より小さい領域である、段階
を含む、
項目１０から１４のいずれか１項に記載の方法。
［項目１６］
上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避する上記段階は、
上記撮影対象の上記画像フレームにおいて時系列で取得された最初のＮ個の画像フレームの上記無光源領域を合成し、上記合成された無光源領域の明度値Ｃ、及び時系列で取得されたＮ＋１番目のフレームの上記無光源領域の明度値を加算して明度値Ｄを取得し、上記明度値Ｄが上記第１の予め設定された明度値より大きい又はこれに等しい場合に、上記最初のＮ個の画像フレームの上記合成された無光源領域を上記ターゲット画像の上記無光源領域として用いる段階
を含む、
項目１０から１５のいずれか１項に記載の方法。
［項目１７］
上記第１の予め設定された明度値は、２１０である、
項目１０から１６のいずれか１項に記載の方法。
［項目１８］
撮影方法であって、
スローシャッタ撮影モードに入る命令を取得した後で、上記スローシャッタ撮影モードに入る段階と、
撮影対象の画像フレームを連続的に取得する段階と、
第１の予め設定された明度値に従って、上記撮影対象の各画像フレームを光軌跡領域及び背景光源領域に分割する段階と、
上記撮影対象の上記画像フレームの上記光軌跡領域を合成し、上記合成された光軌跡領域をターゲット画像の光軌跡領域として用いる段階と、
上記撮影対象の上記画像フレームのうち１つ又は複数の上記背景光源領域を上記ターゲット画像の背景光源領域として用い、上記ターゲット画像の上記背景光源領域の露出過多を回避する段階と、
撮影命令を取得した後で、上記ターゲット画像を格納する段階と、
を備える方法。
［項目１９］
撮影対象の画像フレームを連続的に取得する上記段階の後であって、第１の予め設定された明度値に従って、上記撮影対象の各画像フレームを光軌跡領域及び背景光源領域に分割する上記段階の前に、
上記撮影対象の上記画像フレームの明度を取得する段階と、
上記スローシャッタ撮影モードに設定される必要があるパラメータの値が直接取得されない場合に、上記取得された明度に従って、上記撮影対象の画像における、その明度が第２の予め設定された明度値より大きい又はこれに等しい画素の数を取得する段階と、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出する段階と、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする段階と、
をさらに備える、
項目１８に記載の方法。
［項目２０］
撮影対象の画像フレームを連続的に取得する上記段階の後であって、第１の予め設定された明度値に従って、上記撮影対象の各画像フレームを光軌跡領域及び背景光源領域に分割する上記段階の前に、
上記撮影対象の上記画像フレームの明度を取得する段階と、
上記スローシャッタ撮影モードに設定される必要があるパラメータの値が直接取得される場合に、上記パラメータの上記直接取得された値に従って、上記スローシャッタ撮影モードに設定される必要がある上記パラメータを調整する段階であって、上記スローシャッタ撮影モードに設定される必要がある上記パラメータの上記値は、上記画像の上記明度に従って、ユーザによって設定される、段階と、
をさらに備える、
項目１８に記載の方法。
［項目２１］
上記撮影対象の上記画像フレームのうち１つ又は複数の上記背景光源領域を上記ターゲット画像の背景光源領域として用い、上記ターゲット画像の上記背景光源領域の露出過多を回避する上記段階の後であって、撮影命令を取得した後で、上記ターゲット画像を格納する上記段階の前に、
上記光軌跡領域及び上記背景光源領域の境界に対して明度スムージング処理を実行する段階
をさらに備える、
項目１８から２０のいずれか１項に記載の方法。
［項目２２］
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする上記段階は、
上記パーセンテージ値が上記予め設定されたパーセンテージ閾値の上記上限より大きい又はこれに等しい場合に、露出時間の値及びＩＳＯ値（ＩＳＯ）を低下させることにより、上記ターゲット画像における上記低下したパーセンテージ値を上記予め設定されたパーセンテージ閾値の上記範囲内にする段階
を含む、
項目１８から２１のいずれか１項に記載の方法。
［項目２３］
第１の予め設定された明度値に従って、上記撮影対象の各画像フレームを光軌跡領域及び背景光源領域に分割する上記段階は、
上記第１の予め設定された明度値に従って、上記撮影対象の各画像フレームを上記光軌跡領域及び上記背景光源領域に分割する段階であって、上記光軌跡領域は、同じ画素位置における上記画像フレームの間に差が存在し、かつ、明度値が上記第１の予め設定された明度値より大きい又はこれに等しい領域であり、上記背景光源領域は、同じ画素位置における上記画像フレームの間に差が存在せず、かつ、明度値が上記第１の予め設定された明度値より大きい又はこれに等しい領域である、段階
を含む、
項目１８から２２のいずれか１項に記載の方法。
［項目２４］
上記第１の予め設定された明度値は、２１０である、
項目１８から２３のいずれか１項に記載の方法。
［項目２５］
撮影装置であって、
スローシャッタ撮影モードに入る命令を取得するように構成される第１の取得モジュールであって、上記スローシャッタ撮影モードに入る上記命令に従って、上記撮影装置が上記スローシャッタ撮影モードに入った後で、撮影対象の画像フレームを連続的に取得するようにさらに構成される第１の取得モジュールと、
第１の予め設定された明度値に従って、上記撮影対象の各画像フレームを、光軌跡領域、背景光源領域、及び無光源領域に分割するように構成される第１の処理モジュールであって、上記撮影対象の上記画像フレームの上記光軌跡領域を合成し、上記合成された光軌跡領域をターゲット画像の光軌跡領域として用いるようにさらに構成され、上記撮影対象の上記画像フレームのうち１つ又は複数の上記背景光源領域を、上記ターゲット画像の背景光源領域として用い、上記ターゲット画像の上記背景光源領域の露出過多を回避するようにさらに構成され、上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避するようにさらに構成される、第１の処理モジュールと、
撮影命令を取得した後で、上記ターゲット画像を格納するように構成される第１の撮影モジュールと、
を備える撮影装置。
［項目２６］
上記第１の処理モジュールは、
上記スローシャッタ撮影モードに設定される必要があるパラメータの値が直接取得されない場合に、上記撮影対象の上記画像フレームの明度が取得された後で、上記明度に従って、上記撮影対象の画像における、その明度が第２の予め設定された明度値より大きい又はこれに等しい画素の数を取得し、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出し、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする
ようにさらに構成される、
項目２５に記載の撮影装置。
［項目２７］
上記第１の処理モジュールは、上記スローシャッタ撮影モードに設定される必要があるパラメータの値が直接取得される場合に、上記パラメータの上記直接取得された値に従って、上記スローシャッタ撮影モードに設定される必要がある上記パラメータを調整するようにさらに構成され、上記スローシャッタ撮影モードに設定される必要がある上記パラメータの上記値は、ユーザによって設定される、項目２５に記載の撮影装置。
［項目２８］
上記第１の処理モジュールは、
上記光軌跡領域、上記背景光源領域、及び上記無光源領域の境界に対して明度スムージング処理を実行する
ようにさらに構成される、
項目２５から２７のいずれか１項に記載の装置。
［項目２９］
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の上記範囲内にする場合、上記第１の処理モジュールは、具体的には、
上記パーセンテージ値が上記予め設定されたパーセンテージ閾値の上記上限より大きい又はこれに等しい場合に、露出時間の値及びＩＳＯ値（ＩＳＯ）を低下させることにより、上記ターゲット画像における上記低下したパーセンテージ値を上記予め設定されたパーセンテージ閾値の上記範囲内にする
ように構成される、
項目２５から２８のいずれか１項に記載の装置。
［項目３０］
上記第１の予め設定された明度値に従って、上記撮影対象の各画像フレームを、上記光軌跡領域、上記背景光源領域、及び上記無光源領域に分割する場合に、上記第１の処理モジュールは、具体的には、
上記撮影対象の上記画像フレームの同じ画素位置における上記画像の差異度及び上記第１の予め設定された明度値に従って、上記撮影対象の各画像フレームを、上記光軌跡領域、上記背景光源領域、及び上記無光源領域に分割する
ように構成される、
項目２５から２９のいずれか１項に記載の装置。
［項目３１］
上記撮影対象の上記画像フレームの上記同じ画素位置における上記画像の上記差異度及び上記第１の予め設定された明度値に従って、上記撮影対象の各画像フレームを、上記光軌跡領域、上記背景光源領域、及び上記無光源領域に分割する場合に、上記第１の処理モジュールは、具体的には、
上記第１の予め設定された明度値に従って、上記撮影対象の各画像フレームを、上記光軌跡領域、上記背景光源領域、及び上記無光源領域に分割するように構成され、上記光軌跡領域は、同じ画素位置における上記画像フレームの間に差が存在し、かつ、明度値が上記第１の予め設定された明度値より大きい又はこれに等しい領域であり、上記背景光源領域は、同じ画素位置における上記画像フレームの間に差が存在せず、かつ、明度値が上記第１の予め設定された明度値より大きい又はこれに等しい領域であり、上記無光源領域は、同じ画素位置における上記画像フレームの間に差が存在せず、かつ、明度値が上記第１の予め設定された明度値より小さい領域である、
項目３０に記載の装置。
［項目３２］
上記撮影対象の上記画像フレームのうち１つ又は複数の上記無光源領域を合成し、上記合成された無光源領域を上記ターゲット画像の上記無光源領域として用い、上記ターゲット画像の上記合成された無光源領域の上記明度を高め、露出過多を回避する場合に、上記第１の処理モジュールは、具体的には、
上記撮影対象の上記画像フレームにおいて時系列で取得された最初のＮ個の画像フレームの上記無光源領域を合成し、上記合成された無光源領域の明度値Ｃ、及び時系列で取得されたＮ＋１番目のフレームの上記無光源領域の明度値を加算して明度値Ｄを取得し、上記明度値Ｄが上記第１の予め設定された明度値より大きい又はこれに等しい場合に、上記最初のＮ個の画像フレームの上記合成された無光源領域を上記ターゲット画像の上記無光源領域として用いる
ように構成され、
Ｎは、正の整数である、
項目２５から３１のいずれか１項に記載の装置。
［項目３３］
上記第１の予め設定された明度値は、２１０である、項目２５から３２のいずれか１項に記載の方法。
［項目３４］
撮影装置であって、
スローシャッタ撮影モードに入る命令を取得するように構成される第２の取得モジュールであって、上記スローシャッタ撮影モードに入る上記命令に従って、上記撮影装置が上記スローシャッタ撮影モードに入った後で、撮影対象の画像フレームを連続的に取得するようにさらに構成される、第２の取得モジュールと、
第１の予め設定された明度値に従って、上記撮影対象の各画像フレームを光軌跡領域及び背景光源領域に分割するように構成される第２の処理モジュールであって、上記撮影対象の上記画像フレームの上記光軌跡領域を合成し、上記合成された光軌跡領域をターゲット画像の光軌跡領域として用いるようにさらに構成され、上記撮影対象の上記画像フレームのうち１つ又は複数の上記背景光源領域を、上記ターゲット画像の背景光源領域として用い、上記ターゲット画像の上記背景光源領域の露出過多を回避するようにさらに構成される、第２の処理モジュールと、
を備え、
撮影命令を取得した後で、上記ターゲット画像を格納する、
撮影装置。
［項目３５］
上記第２の処理モジュールは、
上記スローシャッタ撮影モードに設定される必要があるパラメータの値が直接取得されない場合に、上記撮影対象の上記画像フレームの明度が取得された後で、上記明度に従って、上記撮影対象の画像における、その明度が第２の予め設定された明度値より大きい又はこれに等しい画素の数を取得し、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出し、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする
ようにさらに構成される、
項目３４に記載の装置。
［項目３６］
上記第２の処理モジュールは、上記スローシャッタ撮影モードに設定される必要があるパラメータの値が直接取得される場合に、上記パラメータの上記直接取得された値に従って、上記スローシャッタ撮影モードに設定される必要がある上記パラメータを調整するようにさらに構成され、上記スローシャッタ撮影モードに設定される必要がある上記パラメータの上記値は、ユーザによって設定される、項目３４に記載の装置。
［項目３７］
上記第２の処理モジュールは、
上記光軌跡領域及び上記背景光源領域の境界に対して明度スムージング処理を実行する
ようにさらに構成される、
項目３４から３６のいずれか１項に記載の装置。
［項目３８］
上記第１の予め設定された明度値に従って、上記撮影対象の各画像フレームを上記光軌跡領域及び上記背景光源領域に分割する場合に、上記第２の処理モジュールは、具体的には、
上記第１の予め設定された明度値に従って、上記撮影対象の各画像フレームを上記光軌跡領域及び上記背景光源領域に分割する
ように構成され、
光軌跡領域は、同じ画素位置における上記画像フレームの間に差が存在し、かつ、明度値が上記第１の予め設定された明度値より大きい又はこれに等しい領域であり、上記背景光源領域は、同じ画素位置における上記画像フレームの間に差が存在せず、かつ、明度値が上記第１の予め設定された明度値より大きい又はこれに等しい領域である、
項目３４から３７のいずれか１項に記載の装置。
［項目３９］
上記第１の予め設定された明度値は、２１０である、
項目３４から３８のいずれか１項に記載の方法。
［項目４０］
撮影装置であって、
スローシャッタ撮影モードに入る命令を取得するように構成される第３の取得モジュールと、
上記撮影対象の画像フレームの明度に従って、上記スローシャッタ撮影モードに設定される必要があるパラメータの値を調整し、上記撮影後のターゲット画像の露出過多を回避するように構成される第３の処理モジュールであって、第１の予め設定された明度値に従って、上記撮影対象の各画像フレームを光軌跡領域及び無光源領域に分割するように構成され、上記撮影対象の上記画像フレームの上記光軌跡領域を合成し、上記合成された光軌跡領域を上記ターゲット画像の光軌跡領域として用いるようにさらに構成され、上記撮影対象の上記画像フレームのうち１つ又は複数の上記無光源領域を合成し、上記合成された無光源領域を上記ターゲット画像の無光源領域として用い、上記ターゲット画像の上記合成された無光源領域の明度を高め、露出過多を回避するようにさらに構成される、第３の処理モジュールと、
を備え、
撮影命令を取得した後で、上記ターゲット画像を格納する、
撮影装置。
［項目４１］
上記第３の処理モジュールは、
上記スローシャッタ撮影モードに設定される必要がある上記パラメータの上記値が直接取得されない場合に、上記撮影対象の上記画像フレームの上記明度が取得された後で、上記明度に従って、上記撮影対象の画像における、その明度が第２の予め設定された明度値より大きい又はこれに等しい画素の数を取得し、
その明度が上記第２の予め設定された明度値より大きい又はこれに等しい上記画素の上記数、及び上記撮影対象の画像における総画素数に従って、その明度が上記第２の予め設定された明度値より大きい又はこれに等しい上記画素のパーセンテージ値を算出し、
上記パーセンテージ値が予め設定されたパーセンテージ閾値の上限より大きい又はこれに等しい場合に、上記スローシャッタ撮影モードに設定される必要がある上記パラメータの上記値を調整し、上記パーセンテージ値を低下させることにより、上記ターゲット画像における上記低下したパーセンテージ値を上記予め設定されたパーセンテージ閾値の範囲内にする
ようにさらに構成される、
項目４０に記載の撮影装置。
［項目４２］
上記第３の処理モジュールは、上記スローシャッタ撮影モードに設定される必要がある上記パラメータの上記値が直接取得される場合に、上記パラメータの上記直接取得された値に従って、上記スローシャッタ撮影モードに設定される必要がある上記パラメータを調整するようにさらに構成され、上記スローシャッタ撮影モードに設定される必要がある上記パラメータの上記値は、ユーザによって設定される、項目４０に記載の撮影装置。
［項目４３］
上記第３の処理モジュールは、
上記光軌跡領域及び上記無光源領域の境界に対して明度スムージング処理を実行する
ようにさらに構成される、
項目４０から４２のいずれか１項に記載の装置。
［項目４４］
上記第１の予め設定された明度値に従って、上記撮影対象の各画像フレームを上記光軌跡領域及び上記無光源領域に分割する場合に、上記第３の処理モジュールは、具体的には、
上記第１の予め設定された明度値に従って、上記撮影対象の各画像フレームを、光軌跡領域、背景光源領域、及び上記無光源領域に分割する
ように構成され、
上記光軌跡領域は、同じ画素位置における上記画像フレームの間に差が存在し、かつ、明度値が上記第１の予め設定された明度値より大きい又はこれに等しい領域であり、上記無光源領域は、同じ画素位置における上記画像フレームの間に差が存在せず、かつ、明度値が上記第１の予め設定された明度値より小さい領域である、
項目４０から４３のいずれか１項に記載の装置。
［項目４５］
上記撮影対象の上記画像フレームのうち１つ又は複数の上記無光源領域を合成し、上記合成された無光源領域を上記ターゲット画像の上記無光源領域として用い、上記ターゲット画像の上記合成された無光源領域の上記明度を高め、露出過多を回避する場合に、上記第３の処理モジュールは、具体的には、
上記撮影対象の上記画像フレームにおいて時系列で取得された最初のＮ個の画像フレームの上記無光源領域を合成し、上記合成された無光源領域の明度値Ｃ、及び時系列で取得されたＮ＋１番目のフレームの上記無光源領域の明度値を加算して明度値Ｄを取得し、上記明度値Ｄが上記第１の予め設定された明度値より大きい又はこれに等しい場合に、上記最初のＮ個の画像フレームの上記合成された無光源領域を上記ターゲット画像の上記無光源領域として用いる
ように構成され、
Ｎは、正の整数である、
項目４０から４４のいずれか１項に記載の装置。
［項目４６］
上記第１の予め設定された明度値は、２１０である、
項目４０から４５のいずれか１項に記載の方法。
【図１】
0006605629.tif 000002
【図２】
0006605629.tif 000003
【図３】
0006605629.tif 000004
【図４】
0006605629.tif 000005
【図５】
0006605629.tif 000006
【図６】
0006605629.tif 000007
【図７】
0006605629.tif 000008